(57)【要約】【課題】ＭＤＦにおける障害に対して保守性の向上を図ることができる加入者線検査システム及び方法並びにプログラムの提供。【解決手段】加入者回路１１、１２と、Hybrid回路３１、３２と、障害を検出する障害検出回路４１ａ、４２ａを備える給電回路４１、４２と、ＭＤＦ６と、リレー５１、５２を介してＭＤＦ６に接続される電圧／電流監視回路７１、７２と、給電回路と電圧／電流監視回路とに接続される保守系監視回路１０とを備え、障害検出回路は、障害を検出した場合に給電障害検出信号を保守監視回路に送信し、電圧／電流監視回路は、電圧とインピーダンスを測定し、その測定値を保守監視回路に送信し、保守系監視回路は、給電障害検出信号の有無と、インピーダンス測定値及び電圧測定値とに基づいて誤接続の有無を判定し、誤接続の発生箇所及び誤接続の形態を保守者に通知する。【選択図】図１
2007274100.tif 000002
【特許請求の範囲】
【請求項１】
加入者回路と、前記加入者回路に接続され、２線−４線変換を行うHybrid回路と、前記Hybrid回路に接続され、障害検出回路を備える給電回路と、加入者端末と、一方がリレーを介して前記給電回路に接続され、他方が前記加入者端末に接続され、前記加入者回路と前記加入者端末との切り替えを行うＭＤＦと、前記リレーを介して前記ＭＤＦに接続される電圧／電流監視回路と、前記給電回路及び前記電圧／電流監視回路に接続される保守系監視回路とを備え、
前記障害検出回路は、前記給電回路の障害を監視し、障害が発生した場合に前記保守系監視回路に給電障害検出信号を送信する機能を備え、
前記電圧／電流監視回路は、インピーダンスと電圧とを測定し、インピーダンスの測定値と電圧の測定値とを保守監視回路に送信する機能を備え、
前記保守系監視回路は、前記給電障害検出信号の有無と、前記インピーダンスの測定値と、前記電圧の測定値とに基づいて、誤接続の有無を判定する機能を備えることを特徴とする加入者線検査システム。
【請求項２】
前記ＭＤＦの前記加入者回路側に、前記加入者端末に正規に接続されている第１の経路と、前記加入者端末に接続されていない又は誤接続されている第２の経路とを含み、
前記保守系監視回路では、前記給電障害検出信号が送信されず、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路と前記第２の経路の前記加入者回路とに接続されていると判定することを特徴とする請求項１記載の加入者線検査システム。
【請求項３】
前記ＭＤＦの前記加入者回路側に、前記加入者端末に正規に接続されている第１の経路と、前記加入者端末に接続されていない又は誤接続されている第２の経路とを含み、
前記保守系監視回路では、前記給電障害検出信号が送信され、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路に接続され、かつ、前記第２の経路の前記加入者回路に反転して接続されていると判定することを特徴とする請求項１記載の加入者線検査システム。
【請求項４】
前記ＭＤＦの前記加入者回路側に、前記加入者端末に正規に接続されている第１の経路と、前記加入者端末に接続されていない又は誤接続されている第２の経路とを含み、
前記保守系監視回路では、前記給電障害検出信号が送信されず、前記インピーダンスの測定値が無限大であり、前記電圧の測定値が前記給電回路の給電電圧でない場合は、前記加入者端末が前記第１の経路の前記加入者回路に接続され、かつ、前記加入者端末の一方の配線が前記第２の経路の前記加入者回路の一方の配線に反転して接続されていると判定することを特徴とする請求項１記載の加入者線検査システム。
【請求項５】
前記保守系監視回路は、前記誤接続がある場合に、前記誤接続の発生箇所と前記誤接続の形態とを通知する機能を備えることを特徴とする請求項１乃至４のいずれか一に記載の加入者線検査システム。
【請求項６】
加入者回路と、前記加入者回路に接続され、２線−４線変換を行うHybrid回路と、前記Hybrid回路に接続され、障害検出回路を備える給電回路と、加入者端末と、一方がリレーを介して前記給電回路に接続され、他方が前記加入者端末に接続され、前記加入者回路と前記加入者端末の切り替えを行うＭＤＦと、前記リレーを介して前記ＭＤＦに接続される電圧／電流監視回路と、前記給電回路と前記電圧／電流監視回路とに接続される保守系監視回路とを少なくとも備える加入者線における検査方法であって、
前記障害検出回路で前記給電回路の障害を監視し、障害が発生した場合に前記保守系監視回路に給電障害検出信号を送信する第１の処理と、
前記電圧／電流監視回路でインピーダンスと電圧とを測定し、インピーダンスの測定値と電圧の測定値とを保守監視回路に送信する第２の処理と、
前記保守系監視回路で、前記給電障害検出信号の有無と、前記インピーダンスの測定値と、前記電圧の測定値とに基づいて、誤接続の有無を判定する第３の処理とを少なくとも行うことを特徴とする加入者線検査方法。
【請求項７】
前記ＭＤＦの前記加入者回路側に、前記加入者端末に正規に接続されている第１の経路と、前記加入者端末に接続されていない又は誤接続されている第２の経路とを含み、
前記第３の処理では、前記給電障害検出信号が送信されず、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路と前記第２の経路の前記加入者回路とに接続されていると判定することを特徴とする請求項６記載の加入者線検査方法。
【請求項８】
前記ＭＤＦの前記加入者回路側に、前記加入者端末に正規に接続されている第１の経路と、前記加入者端末に接続されていない又は誤接続されている第２の経路とを含み、
前記第３の処理では、前記給電障害検出信号が送信され、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路に接続され、かつ、前記第２の経路の前記加入者回路に反転して接続されていると判定することを特徴とする請求項６記載の加入者線検査方法。
【請求項９】
前記ＭＤＦの前記加入者回路側に、前記加入者端末に正規に接続されている第１の経路と、前記加入者端末に接続されていない又は誤接続されている第２の経路とを含み、
前記第３の処理では、前記給電障害検出信号が送信されず、前記インピーダンスの測定値が無限大であり、前記電圧の測定値が前記給電回路の給電電圧でない場合は、前記加入者端末が前記第１の経路の前記加入者回路に接続され、かつ、前記加入者端末の一方の配線が前記第２の経路の前記加入者回路の一方の配線に反転して接続されていると判定することを特徴とする請求項６記載の加入者線検査方法。
【請求項１０】
更に、前記誤接続がある場合に、前記保守系監視回路から、前記誤接続の発生箇所と前記誤接続の形態とを通知する第４の処理を行うことを特徴とする請求項６乃至９のいずれか一に記載の加入者線検査方法。
【請求項１１】
加入者回路と、前記加入者回路に接続され、２線−４線変換を行うHybrid回路と、前記Hybrid回路に接続され、障害検出回路を備える給電回路と、加入者端末と、一方がリレーを介して前記給電回路に接続され、他方が前記加入者端末に接続され、前記加入者回路と前記加入者端末の切り替えを行うＭＤＦと、前記リレーを介して前記ＭＤＦに接続される電圧／電流監視回路とを少なくとも備える加入者線検査システムで動作するプログラムであって、
コンピュータを、
前記障害検出回路が送信する前記給電回路の障害を知らせる給電障害検出信号の有無と、前記電圧／電流監視回路から送信されるインピーダンスの測定値と、前記電圧／電流監視回路から送信される電圧の測定値とに基づいて、誤接続の有無を判定する判定手段として機能させることを特徴とする加入者線検査プログラム。
【請求項１２】
前記ＭＤＦの前記加入者回路側に、前記加入者端末に正規に接続されている第１の経路と、前記加入者端末に接続されていない又は誤接続されている第２の経路とを含み、
前記判定手段は、前記給電障害検出信号が送信されず、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路と前記第２の経路の前記加入者回路とに接続されていると判定することを特徴とする請求項１１記載の加入者線検査プログラム。
【請求項１３】
前記ＭＤＦの前記加入者回路側に、前記加入者端末に正規に接続されている第１の経路と、前記加入者端末に接続されていない又は誤接続されている第２の経路とを含み、
前記判定手段は、前記給電障害検出信号が送信され、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路に接続され、かつ、前記第２の経路の前記加入者回路に反転して接続されていると判定することを特徴とする請求項１１記載の加入者線検査プログラム。
【請求項１４】
前記ＭＤＦの前記加入者回路側に、前記加入者端末に正規に接続されている第１の経路と、前記加入者端末に接続されていない又は誤接続されている第２の経路とを含み、
前記判定手段は、前記給電障害検出信号が送信されず、前記インピーダンスの測定値が無限大であり、前記電圧の測定値が前記給電回路の給電電圧でない場合は、前記加入者端末が前記第１の経路の前記加入者回路に接続され、かつ、前記加入者端末の一方の配線が前記第２の経路の前記加入者回路の他方の配線に反転して接続されていると判定することを特徴とする請求項１１記載の加入者線検査プログラム。
【請求項１５】
コンピュータを、更に、
前記誤接続がある場合に、前記誤接続の発生箇所と前記誤接続の形態とを通知する通知手段として機能させることを特徴とする請求項１１乃至１４のいずれか一に記載の加入者線検査プログラム。
【発明の詳細な説明】
【技術分野】
【０００１】
本発明は、加入者線検査システム及び加入者線検査方法並びに加入者線検査プログラムに関し、特に、ＭＤＦ内の誤接続を検査するための加入者線検査システム及び加入者線検査方法並びに加入者線検査プログラムに関する。
【背景技術】
【０００２】
通信事業者の交換機と加入者宅の端末とは、ＭＤＦ（Main Distribution Frame）と呼ばれる配線分配装置を介して接続されている。このＭＤＦは、交換機に繋がる回線と加入者宅の端末に繋がる回線とをジャンパ線で接続して切り替える装置であり、例えば、加入者線を古い交換機から新しい交換機に収容するための工事が発生した場合には、加入者宅の端末と古い交換機とを繋ぐジャンパ線を取り外し、加入者宅の端末と新しい交換機とを新たにジャンパ線で接続する等の作業を行う。このようなＭＦＤ内のジャンパ線の配線に関しては、例えば下記特許文献１に記載されている。
【０００３】
【特許文献１】特開２００２−２５２８６０号公報（第５−７頁、第１図）
【発明の開示】
【発明が解決しようとする課題】
【０００４】
しかしながら、従来は、ＭＤＦにおいて、加入者宅の端末が複数の交換機に接続されるなどのマルチジャンパ等の障害があると通信ができない状態となり、遠隔によるネットワーク管理を行っている場合には、障害状況を遠隔で確認し、障害内容を推定するしかなく、即時に障害箇所を切り分け、サービスを復旧させることが難しいという問題があった。
【０００５】
また、上記障害箇所を切り分けるにあたり、保守者の技術的な判断に依存する場合があり、熟練の度合いによっては切り分けまでに時間を要するという問題もあった。
【０００６】
本発明は、上記問題点に鑑みてなされたものであって、その主たる目的は、ＭＤＦにおける障害に対して、保守性の向上を図ることができる加入者線検査システム及び加入者線検査方法並びに加入者線検査プログラムを提供することにある。
【課題を解決するための手段】
【０００７】
上記目的を達成するため、本発明のシステムは、加入者回路と、前記加入者回路に接続され、２線−４線変換を行うHybrid回路と、前記Hybrid回路に接続され、障害検出回路を備える給電回路と、加入者端末と、一方がリレーを介して前記給電回路に接続され、他方が前記加入者端末に接続され、前記加入者回路と前記加入者端末との切り替えを行うＭＤＦと、前記リレーを介して前記ＭＤＦに接続される電圧／電流監視回路と、前記給電回路及び前記電圧／電流監視回路に接続される保守系監視回路とを備え、前記障害検出回路は、前記給電回路の障害を監視し、障害が発生した場合に前記保守系監視回路に給電障害検出信号を送信する機能を備え、前記電圧／電流監視回路は、インピーダンスと電圧とを測定し、インピーダンスの測定値と電圧の測定値とを保守監視回路に送信する機能を備え、前記保守系監視回路は、前記給電障害検出信号の有無と、前記インピーダンスの測定値と、前記電圧の測定値とに基づいて、誤接続の有無を判定する機能を備えるものである。
【０００８】
本発明においては、前記ＭＤＦの前記加入者回路側に、前記加入者端末に正規に接続されている第１の経路と、前記加入者端末に接続されていない又は誤接続されている第２の経路とを含み、前記保守系監視回路では、前記給電障害検出信号が送信されず、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路と前記第２の経路の前記加入者回路とに接続されていると判定し、前記給電障害検出信号が送信され、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路に接続され、かつ、前記第２の経路の前記加入者回路に反転して接続されていると判定し、前記給電障害検出信号が送信されず、前記インピーダンスの測定値が無限大であり、前記電圧の測定値が前記給電回路の給電電圧でない場合は、前記加入者端末が前記第１の経路の前記加入者回路に接続され、かつ、前記加入者端末の一方の配線が前記第２の経路の前記加入者回路の一方の配線に反転して接続されていると判定する構成とすることができる。
【０００９】
また、本発明においては、前記保守系監視回路は、前記誤接続がある場合に、前記誤接続の発生箇所と前記誤接続の形態とを通知する機能を備える構成とすることもできる。
【００１０】
また、本発明の方法は、加入者回路と、前記加入者回路に接続され、２線−４線変換を行うHybrid回路と、前記Hybrid回路に接続され、障害検出回路を備える給電回路と、加入者端末と、一方がリレーを介して前記給電回路に接続され、他方が前記加入者端末に接続され、前記加入者回路と前記加入者端末の切り替えを行うＭＤＦと、前記リレーを介して前記ＭＤＦに接続される電圧／電流監視回路と、前記給電回路と前記電圧／電流監視回路とに接続される保守系監視回路とを少なくとも備える加入者線における検査方法であって、前記障害検出回路で前記給電回路の障害を監視し、障害が発生した場合に前記保守系監視回路に給電障害検出信号を送信する第１の処理と、前記電圧／電流監視回路でインピーダンスと電圧とを測定し、インピーダンスの測定値と電圧の測定値とを保守監視回路に送信する第２の処理と、前記保守系監視回路で、前記給電障害検出信号の有無と、前記インピーダンスの測定値と、前記電圧の測定値とに基づいて、誤接続の有無を判定する第３の処理とを少なくとも行うものである。
【００１１】
本発明においては、前記ＭＤＦの前記加入者回路側に、前記加入者端末に正規に接続されている第１の経路と、前記加入者端末に接続されていない又は誤接続されている第２の経路とを含み、前記第３の処理では、前記給電障害検出信号が送信されず、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路と前記第２の経路の前記加入者回路とに接続されていると判定、又は、前記給電障害検出信号が送信され、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路に接続され、かつ、前記第２の経路の前記加入者回路に反転して接続されていると判定、又は、前記給電障害検出信号が送信されず、前記インピーダンスの測定値が無限大であり、前記電圧の測定値が前記給電回路の給電電圧でない場合は、前記加入者端末が前記第１の経路の前記加入者回路に接続され、かつ、前記加入者端末の一方の配線が前記第２の経路の前記加入者回路の一方の配線に反転して接続されていると判定する構成とすることができる。
【００１２】
また、本発明においては、更に、前記誤接続がある場合に、前記保守系監視回路から、前記誤接続の発生箇所と前記誤接続の形態とを通知する第４の処理を行う構成とすることもできる。
【００１３】
また、本発明のプログラムは、加入者回路と、前記加入者回路に接続され、２線−４線変換を行うHybrid回路と、前記Hybrid回路に接続され、障害検出回路を備える給電回路と、加入者端末と、一方がリレーを介して前記給電回路に接続され、他方が前記加入者端末に接続され、前記加入者回路と前記加入者端末の切り替えを行うＭＤＦと、前記リレーを介して前記ＭＤＦに接続される電圧／電流監視回路とを少なくとも備える加入者線検査システムで動作するプログラムであって、コンピュータを、前記障害検出回路が送信する前記給電回路の障害を知らせる給電障害検出信号の有無と、前記電圧／電流監視回路から送信されるインピーダンスの測定値と、前記電圧／電流監視回路から送信される電圧の測定値とに基づいて、誤接続の有無を判定する判定手段として機能させるものである。
【００１４】
本発明においては、前記ＭＤＦの前記加入者回路側に、前記加入者端末に正規に接続されている第１の経路と、前記加入者端末に接続されていない又は誤接続されている第２の経路とを含み、前記判定手段は、前記給電障害検出信号が送信されず、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路と前記第２の経路の前記加入者回路とに接続されていると判定、又は、前記給電障害検出信号が送信され、前記インピーダンスの測定値が前記加入者端末の入力インピーダンスと前記加入者回路の出力インピーダンスとの合成インピーダンスであり、前記電圧の測定値が前記給電回路の給電電圧である場合は、前記加入者端末が、前記第１の経路の前記加入者回路に接続され、かつ、前記第２の経路の前記加入者回路に反転して接続されていると判定、又は、前記給電障害検出信号が送信されず、前記インピーダンスの測定値が無限大であり、前記電圧の測定値が前記給電回路の給電電圧でない場合は、前記加入者端末が前記第１の経路の前記加入者回路に接続され、かつ、前記加入者端末の一方の配線が前記第２の経路の前記加入者回路の他方の配線に反転して接続されていると判定する構成とすることができる。
【００１５】
また、本発明においては、更に、コンピュータを、前記誤接続がある場合に、前記誤接続の発生箇所と前記誤接続の形態とを通知する通知手段として機能させる構成とすることもできる。
【００１６】
このように、本発明では、ＭＤＦにおいて誤接続があり回線障害が発生した場合に、保守系監視回路では、給電回路に設けた障害検出回路からの給電障害検出信号の有無と、電圧／電流監視回路から送信されるインピーダンス測定値及び電圧測定値とに基づいて誤接続の有無を判定し、誤接続の発生箇所及び誤接続の形態を通知するため、保守者に具体的な障害復旧処置を指示することが可能となり、これにより障害復旧までの時間を短縮して保守性の向上を図ることが可能となる。
【発明の効果】
【００１７】
本発明の加入者線検査システム及び加入者線検査方法並びに加入者線検査プログラムによれば、ＭＤＦにおいて障害が発生した場合における障害復旧までの時間を短縮し、保守性の向上を図ることができる。
【００１８】
その理由は、加入者回路とHybrid回路と給電回路とＭＤＦと加入者端末とが接続される加入者線において、給電回路に過電流などの障害を検出する障害検出回路を設け、給電回路とＭＤＦとの間に設けたリレーを介して、電圧及びインピーダンスを測定する電圧／電流監視回路を接続し、更に、給電回路と電圧／電流監視回路に保守系監視回路給電回路を接続し、保守系監視回路給電回路で、給電回路の障害検出回路からの給電障害検出信号の有無と、電圧／電流監視回路から送信されるインピーダンス測定値及び電圧測定値とに基づいて誤接続の有無を判定し、誤接続の発生箇所及び誤接続の形態を通知するため、ＭＤＦの誤接続による障害を詳細に切り分け、障害箇所を特定して保守者に具体的な障害復旧処置を指示することができるからである。
【発明を実施するための最良の形態】
【００１９】
本発明の加入者線検査システムは、その好ましい一実施の形態において、４線式伝送路で通信を行う加入者回路１１、１２と、加入者回路１１、１２に接続され、４線式伝送路を１対の加入者線に変換するHybrid回路３１、３２と、Hybrid回路３１、３２に接続され、加入者端末に給電を行うと共に、短絡等による過電流などの障害を検出する障害検出回路４１ａ、４２ａを備える給電回路４１、４２と、リレー５１、５２を介して給電回路４１、４２に接続され、加入者回路と加入者端末の切り替えを行うＭＤＦ６と、リレー５１、５２を介してＭＤＦ６に接続される電圧／電流監視回路７１、７２と、給電回路４１、４２と電圧／電流監視回路７１、７２に接続される保守系監視回路１０と、を備え、給電回路４１、４２の障害検出回路４１ａ、４２ａは、障害を検出した場合に給電障害検出信号２１、２２を保守監視回路１０に送信し、電圧／電流監視回路７１、７２は、電圧と回線の容量等のインピーダンスを測定し、インピーダンス測定値と電圧測定値とを保守監視回路１０に送信し、保守系監視回路１０は、給電回路４１、４２の障害検出回路４１ａ、４２ａからの給電障害検出信号２１、２２の有無と、電圧／電流監視回路７１、７２から送信されるインピーダンス測定値及び電圧測定値とに基づいて、誤接続の有無を判定し、誤接続の発生箇所及び誤接続の形態を保守者に通知する。これにより、保守者に具体的な障害復旧処置を指示することができ、障害復旧までの時間を短縮し、保守性を向上させることができる。
【実施例】
【００２０】
上記した本発明の実施の形態についてさらに詳細に説明すべく、本発明の一実施例に係る加入者線検査システム及び加入者線検査方法並びに加入者線検査プログラムについて、図１乃至図４を参照して説明する。図１は、本実施例の加入者線検査システムの構成例を示す接続図であり、図２乃至図４は、図１の構成における誤接続の例を示す接続図である。なお、以下では、加入者端末に接続される加入者回路と加入者端末に接続されていない加入者回路とを備える場合について説明する。
【００２１】
図１に示すように、本実施例の加入者線検査システムは、４線式伝送路で通信を行う加入者回路１１、１２と、加入者回路１１、１２に接続され、４線式伝送路を２線式伝送路に変換するためのHybrid回路３１、３２と、Hybrid回路３１、３２に接続され、加入者端末に給電を行うための給電回路４１、４２と、図示しない制御回路で制御されるリレー５１、５２を介して給電回路４１、４２に接続されるＭＤＦ６と、ＭＤＦ６によっていずれかの加入者回路（ここでは加入者回路１１）に接続される加入者端末９１と、リレー５１、５２を介してＭＤＦ６に接続される電圧／電流監視回路７１、７２と、給電回路４１、４２及び電圧／電流監視回路７１、７２に接続される保守監視回路１０とで構成される。
【００２２】
また、給電回路４１、４２には障害検出回路４１ａ、４２ａを具備しており、障害検出回路４１ａ、４２ａは、給電回路４１、４２の出力において短絡等で過電流状態となった場合にはそれを検出し、給電障害検出信号２１、２２として保守監視回路１０に送信する。また、電圧／電流監視回路７１、７２は、電圧や接続されている回線のインピーダンスを測定する機能を備え、インピーダンス測定値及び電圧測定値を保守系監視回路１０に送信する。また、保守系監視回路１０は、給電回路３１、３２の障害検出回路からの給電障害検出信号２１、２２の有無と、電圧／電流監視回路７１、７２から送信されたインピーダンス測定値及び電圧測定値とに基づいて、障害（誤接続）の有無を判定し、障害箇所及び障害パタン（誤接続の発生箇所及び誤接続の形態）を保守者に通知する機能を備えている。
【００２３】
なお、保守系監視回路１０はハードウェアとして構成してもよいし、コンピュータを、上記給電障害検出信号の有無と上記測定データとに基づいて、障害箇所及び障害パタンを特定する手段と、特定した障害箇所及び障害パタンを保守者に通知する手段として機能させる加入者線検査プログラムとして構成してもよい。
【００２４】
次に、図１の構成の加入者線検査システムにおいて、ＭＤＦ６内で誤接続が生じた場合の動作について図２乃至図４を参照して順に説明する。
【００２５】
図２は、収容切り替え時に変更前の接続の切り離しがされないまま切り替え後の回線に接続されているマルチジャンパ状態を示している。この場合、給電回路４１、４２は出力が短絡状態となっているが、マルチ接続されているＴｉｐ８１１と８２１、Ｒｉｎｇ８２１と８２２は同電位であるため、給電回路４１、４２の障害検出回路４１ａ、４２ａは障害を検出せず、従って給電障害検出信号２１、２２は送信されない。次に、電圧／電流監視回路７２をリレー５２経由で加入者回路１１側のＴｉｐ８１１とＲｉｎｇ８１２とに接続してインピーダンス測定を行うと、加入者回路１１の出力インピーダンスと加入者端末９１の入力インピーダンスとが合成されたインピーダンスが観測される。また、電圧／電流監視回路７２で電圧測定を行うと、給電回路４１の給電電圧が観測される。同様に、電圧／電流監視回路７１をリレー５１経由で加入者回路１１側のＴｉｐ８２１とＲｉｎｇ８２２とに接続してインピーダンス測定を行うと、加入者回路１２の出力インピーダンスと加入者端末９１の入力インピーダンスとが合成されたインピーダンスが観測され、電圧測定を行うと、給電回路４２の給電電圧が観測される。
【００２６】
すなわち、正常な接続状態では、障害検出回路４１ａ、４２ａからは給電障害検出信号２１、２２が送信されず、電圧／電流監視回路７１では加入者端末９１の入力インピーダンス（電圧／電流監視回路７２では無限大のインピーダンス）が観測されると共に、電圧／電流監視回路７１、７２では給電電圧は観測されないが、図２の誤接続の場合、障害検出回路４１ａ、４２ａからは給電障害検出信号が送信されないが、電圧／電流監視回路７２（又は電圧／電流監視回路７１）では、加入者回路１１（又は加入者回路１２）の出力インピーダンスと加入者端末９１の入力インピーダンスの合成インピーダンスが観測され、給電回路４１（又は給電回路４２）の給電電圧が観測されることになる。
【００２７】
従って、（１）給電回路で異常が検出されないこと、（２）電圧／電流監視回路で加入者回路の出力インピーダンスと加入者端末の入力インピーダンスの合成インピーダンスが観測されること、（３）電圧／電流監視回路で給電電圧が観測されることの３つの条件が満足される場合には、保守監視回路１０は、図２に示すようなマルチジャンパ状態となっていると判断することができるため、この結果を保守者に通知することにより、保守者は即時にＭＤＦ６の是正処置の指示が可能となる。
【００２８】
また、図３は、マルチジャンパ状態で、かつ、伝送路の各々の線が反転して接続された状態を示している。この場合、給電回路４１と４２とが出力短絡状態であり、本例の場合には、例えば給電回路４１の正電圧と給電回路４２の負電圧が短絡状態となるため、給電回路４１において過電流状態となり、給電回路４１の障害検出回路４１ａは障害を検出して、給電障害検出信号２１が送信される。次に、リレー５２を切り替えて、電圧／電流監視回路７２でインピーダンス測定を行うと、図２の場合と同様に、加入者回路１１の出力インピーダンスと加入者端末９１の入力インピーダンスの合成されたインピーダンスが観測される。また、電圧／電流監視回路７２で電圧測定を行うと、給電回路４１の給電電圧が観測される。また、同様に、リレー５１を切り替えて、電圧／電流監視回路７１でインピーダンス測定を行うと、加入者回路１２の出力インピーダンスと加入者端末９１の入力インピーダンスの合成されたインピーダンスが観測され、電圧測定を行うと、給電回路４２の給電電圧が観測される。
【００２９】
従って、（１）給電回路で異常が検出されること、（２）電圧／電流監視回路で加入者回路の出力インピーダンスと加入者端末の合成インピーダンスが観測されること、（３）電圧／電流監視回路で給電電圧が観測されることの３つの条件が満足される場合には、保守監視回路１０は図３に示すようにマルチジャンパ状態で且つＴｉｐ８２１とＲｉｎｇ８２２の接続が反転状態となっていると判断することができるため、この結果を保守者に通知することにより、保守者は即時にＭＤＦの是正処置の指示が可能となる。
【００３０】
また、図４は、ＭＤＦ６で、伝送路の１本の線が反転して接続された状態を示している。この場合、マルチ接続されていないため、給電回路４１、４２の障害検出回路は障害を検出せず、給電障害検出信号２１、２２は送信されない。次に、リレー５２を切り替えて、電圧／電流監視回路７２でインピーダンス測定を行うと、正常な接続では加入者端末９１の入力インピーダンスが測定されるが、Ｒｉｎｇ８２２が接続されていないためインピーダンスは無限大となる。また、電圧／電流監視回路７２で電圧測定を行うと、給電電圧は観測されない。また、同様に、リレー５１を切り替えて、電圧／電流監視回路７１でインピーダンス測定を行うと、加入者端末９１の入力インピーダンスが測定され、電圧測定を行うと、給電電圧は観測されない。
【００３１】
従って、（１）給電回路で異常が検出されないこと、（２）いずれかの電圧／電流監視回路でインピーダンスが無限大となること、（３）電圧／電流監視回路で給電電圧が観測されないことの３つの条件が満足される場合には、保守監視回路１０は図４に示すようにＴｉｐ８２１またはＲｉｎｇ８２２が未接続となっていると判断することができるため、この結果を保守者に通知することにより、保守者は即時にＭＤＦの是正処置の指示が可能となる。
【００３２】
このように、保守監視回路又は加入者線検査プログラムで、給電回路の障害検出回路からの給電障害検出信号の有無と、電圧／電流監視回路から送信されるインピーダンス測定値及び電圧測定値とに基づいて、誤接続の有無を判定し、誤接続の発生箇所及び誤接続の形態を通知することができるため、保守者に具体的な障害復旧処置を指示することが可能となり、障害復旧までの時間を短縮して、保守性を向上させることができる。
【００３３】
なお、上記実施例では、各加入者回路単位に電圧／電流監視回路を具備する構成を示したが、本発明は上記実施例に限定されるものではなく、同一装置内では装置内に１つの具備としても同様な効果を得ることができる。また、上記実施例では、４線式伝送路と２線式伝送路とを変換するHybrid回路を設ける構成を示したが、２−４線の変換を行わない場合はHybrid回路を省略することができる。
【産業上の利用可能性】
【００３４】
本発明は、加入者線における誤接続の検査に限らず、複数の機器が所定の配線分配装置で接続される任意のネットワークに対して適用することができる。
【図面の簡単な説明】
【００３５】
【図１】本発明の一実施例に係る加入者線検査システムの構造を示すケーブル接続図である。
【図２】本発明の一実施例に係る加入者線検査システムにおけるケーブル誤接続の例を示す図である。
【図３】本発明の一実施例に係る加入者線検査システムにおけるケーブル誤接続の他の例を示す図である。
【図４】本発明の一実施例に係る加入者線検査システムにおけるケーブル誤接続の他の例を示す図である。
【符号の説明】
【００３６】
１１、１２  加入者回路
２１、２２  給電障害検出信号
３１、３２  Hybrid回路
４１、４２  給電回路
４１ａ、４２ａ  障害検出回路
５１、５２  リレー
６  ＭＤＦ
７１、７２  電圧／電流監視回路
８１１、８２１  Ｔｉｐ
８１２、８２２  Ｒｉｎｇ
９１  加入者端末
１０  保守系監視回路
【図１】
2007274100.tif 000003
【図２】
2007274100.tif 000004
【図３】
2007274100.tif 000005
【図４】
2007274100.tif 000006